(57)【要約】【課題】このような構成により、レンズの破損をなるべく防止することができる電子機器を提供することを目的とする。【解決手段】レンズ９は前面２よりも突出する先端面９ａを有している。複数のレンズ９は、頂上部２ｃを除く他の領域２ｈに配置されており、前面２ｂの頂上部２ｃは前面２ｂの他の領域、表示部３の前面３ａ、ラッチ７の操作部７ａおよび複数のレンズ９の先端面９ａよりも突出した位置にある。つまり表示部３を閉位置にした状態においても、前面２ｂの頂上部２ｃは前方に向かって最も突き出ている箇所となり、頂上部２ｃに接する接線Ｙよりもレンズ９の先端面９ａは本体２の後方に退避した位置にあり、頂上部２ｃはレンズ９の先端面９ａに接する接線Ｙ’よりも前方に突出している。【選択図】  図４
2004265276.tif 000002
【特許請求の範囲】
【請求項１】
湾曲に形成された前面を有する本体と、
上記本体にヒンジ部を介して接続されるとともに、上記本体に重ね合わされる閉位置と上記閉位置から起立される開位置との間で回動可能に設けられた表示部と、
上記本体に内に設けられる発光素子と、
上記発光素子から発光される光を上記本体外部に導くものであって、上記本体の前面より突出して設けられるとともに、上記前面より突出する先端が上記前面の最頂部に接する接線と上記前面との間に位置されるレンズと、
を具備することを特徴とする電子機器。
【請求項２】
上記本体にヒンジ部を介して接続されるとともに、上記本体に重ね合わされる閉位置と上記閉位置から起立される開位置との間で回動可能に設けられた表示部を具備し、
上記レンズは、上記閉位置にある表示部前端部よりも突出することを特徴とする請求項１記載の電子機器。
【請求項３】
湾曲に形成された前面を有する本体と、
上記本体にヒンジ部を介して接続されるとともに、上記本体に重ね合わされる閉位置と上記閉位置から起立される開位置との間で回動可能に設けられた表示部と、
上記本体に内に設けられる発光素子と、
上記発光素子から発光される光を上記本体外部に導くものであって、上記本体の前面より突出して設けられるとともに、上記前面より突出する先端は、蒸気閉位置にある表示部前端よりも突出されるレンズと、
を具備することを特徴とする電子機器。
【請求項４】
上記前面より突出する上記レンズの先端は、上記前面の最頂部に接する接線と上記前面との間に位置されることを特徴とする請求項３記載の電子機器。
【請求項５】
湾曲に形成された前面を有する本体と、
上記本体に内に設けられる発光素子と、
上記発光素子から発光される光を上記本体外部に導くものであって、上記本体の前面より突出して設けられるレンズと、を具備し、
上記前面の湾曲した最頂部は上記レンズに接する接線よりも突出していることを特徴とする電子機器。
【発明の詳細な説明】
【０００１】
【発明の属する技術分野】
本発明は、発光素子を有する電子機器に係り特にレンズ配置構造に関する。
【０００２】
【従来の技術】
従来、多くのノート型コンピュータ等の電子機器には機器の状態表示する発光素子が内蔵され、筐体にはこの発光素子からの光を外部へ導くレンズが設けられている。発光素子は、色や点灯／点滅状態を変化させて、より多くの機器の状態をユーザに知らせることができる。
【０００３】
このような従来の電子機器においては、レンズを筐体表面より突出させており、機器の上方や側部よりユーザは視認することが可能となっている。（特許文献１参照）
【０００４】
【特許文献１】
特開平１１−９５６８９号公報（カラム３および図３）
【０００５】
【発明が解決しようとする課題】
特許文献１の構造においては、フラットな側面にＬＥＤレンズのみが突出されている構造となっており、たとえば、電子機器が側面より落下した場合や、何かが側面にぶつかったような場合、最初にＬＥＤレンズに衝突してしまいレンズが破損するという問題を有している。
【０００６】
本発明は、上記問題に鑑みてなされたもので、レンズの破損をなるべく防止する電子機器を提供することを目的とする。
【０００７】
【課題を解決するための手段】
上記目的を達成するために、請求項１に係る電子機器は、湾曲に形成され
【０００８】
前面を有する本体と、
【０００９】
本体にヒンジ部を介して接続されるとともに、本体に重ね合わされる閉位置と閉位置から起立される開位置との間で回動可能に設けられた表示部と、
【００１０】
本体に内に設けられる発光素子と、
【００１１】
発光素子から発光される光を本体外部に導くものであって、本体の前面より突出して設けられるとともに、前面より突出する先端が前面の最頂部に接する接線と前面との間に位置されるレンズとを有することを特徴とする。
【００１２】
このような構成により、レンズの破損をなるべく防止することが可能となる。
【００１３】
【発明の実施の形態】
以下本発明に係る実施の形態を、図面を参照して説明する。図１は、電子機器の斜視図である。図２は、電子機器の前面の拡大図である。
【００１４】
図１に示すようにコンピュータ１は本体２と、この本体に２にヒンジ部６を介して接続される表示部３を有している。本体２の上面前部にはパームレスト２ａが形成されている。またパームレスト２ａの後方にはキーボード５が設けられている。キーボード５の後方には前述のヒンジ部６が設けられている。表示部３はキーボード５を覆って本体２に重ねられる閉位置と、キーボード５を露出して本体２に起立される開位置との間で回動可能である。表示部３には表示パネル４が内蔵されている。表示部３には本体２に係合するためのラッチ７が設けられている。本体２の上面前部には表示部３が閉位置にあるときラッチ７が着脱自在に係合される係合部８が形成される。
【００１５】
本体２は前面２ｂを有している。前面２ｂの中央２ｃを頂上部として緩やかに側面方向に湾曲している。頂上部２は前面２ｂの中央に位置する。図２の状態においては、表示部３は閉位置にある状態である。本体２の前面２ｂには複数のレンズ９が一列に左右方向に並んで配置されている。
【００１６】
図３は、電子機器の前部側面図である。図４は、最頂部とレンズの先端との関係を示す図である。図３および図４に示すようにレンズ９は前面２よりも突出する先端面９ａを有している。複数のレンズ９は、頂上部２ｃを除く他の領域２ｈに配置されており、前面２ｂの頂上部２ｃは前面２ｂの他の領域、表示部３の前面３ａ、ラッチ７の操作部７ａおよび複数のレンズ９の先端面９ａよりも突出した位置にある。つまり表示部３を閉位置にした状態においても、前面２ｂの頂上部２ｃは前方に向かって最も突き出ている箇所となり、頂上部２ｃに接する接線Ｙよりもレンズ９の先端面９ａは本体２の後方に退避した位置にあり、頂上部２ｃはレンズ９の先端面９ａに接する接線Ｙ’よりも前方に突出している。
【００１７】
図５は、図２における断面線ＸＸ’における断面図である。図５に示すように、本体２は下ケース２ｅを有している。下ケース２ｅには回路基板１０が内蔵されている。回路基板１０は下ケース２ｅの内面より突出する支持部材２ｈにより支持されている。回路基板１０の上面には図示しない複数の発光素子１１が実装されており、この発光素子１１はコンピュータ１の状態、たとえば図示しない磁気ディスクドライブの駆動状態、図示しない電池パックの充放電状態、システムの省電力モード状態等の情報を点灯、点滅、色等を変化させたりして発光する素子である。発光素子１１の上方には発光素子１１により発光された光を本体２の外部へ導くレンズ９が実装される。なお、複数のレンズは先端が複数に分割されているだけで一端で一つに纏っている。つまり１つのレンズユニットとして形成されている。
【００１８】
下ケース２ｅには図示しないねじ等により上ケース２ｆが取り付けられる。上ケース２ｆの本体２の内部方向の内面には下方に突出する固定部２ｇが設けられており、レンズ９が固定される。この時レンズ２の先端は下ケース２ｅおよび上ケース２ｆの前面２ｂを形成するそれぞれの前面により挟み込まれる状態となっている。上ケース２の上面にはカバー２ａが取り付けられ、このカバー２ａがパームレスト２ａをなっている。
【００１９】
レンズ９は前面２よりも突出する先端面９ａを有している。またレンズ９は発光素子１１と対向して発光素子１１からの発光された光が入射される入射面９ｄを有している。さらに、レンズ９はこの入射面９ｄに対して所定の角度を有して形成あれ、入射面９ｄより入射された光を先端面９ａ方向に反射させる反射面９ｃを有している。反射面９ｃと先端面９ａとの間には本体部９ｅが形成され、反射面９ｃにより反射された光を先端面９ａまで導いている。レンズ９の後端部９ｂには上ケース２ｆの固定部２ｇに固定されることでレンズ９は本体２内部に支持されることになる。
【００２０】
このように、レンズの先端面を本体の前面より突出させ、かつ本体前面の頂上部よりも退避させた（前面の頂上部がレンズ先端面に接する接線よりも突出する）構成により、ユーザにとってレンズの発光状態を容易に視認することができ、また、前面にものが当たった場合や、前面より落下した場合などにおいてレンズは頂上部よりも退避しているためレンズの破損を防止することが可能となる。
【００２１】
本発明ではその主旨を逸脱しない範囲であれば、上記の実施形態に限定されるものではない。そして、携帯電話、ＰＨＳ、電子手帳、ＰＤＡ等に広く適用できるものである。
【００２２】
【発明の効果】
以上詳述した発明によれば、このような構成により、レンズの破損をなるべく防止することが可能となる。
【図面の簡単な説明】
【図１】電子機器の斜視図。
【図２】電子機器の前面の拡大図。
【図３】電子機器の前部側面図。
【図４】最頂部とレンズの先端との関係を示す図。
【図５】図２における断面線ＸＸ’における断面図。
【符号の説明】
１…コンピュータ、２…本体、２ａ…パームレスト、２ｂ…前面、２ｃ…頂上部、３…表示部、表示パネル、５…キーボード、６…ヒンジ部。７…ラッチ。８…係合部、９…レンズ、９ａ…先端面、１０…回路基板、１１…発光素子
【図１】
2004265276.tif 000003
【図２】
2004265276.tif 000004
【図３】
2004265276.tif 000005
【図４】
2004265276.tif 000006
【図５】
2004265276.tif 000007